(57)【要約】    【課題】      通信システムを高価で大規模にしなくても、セル内でＨＳＤＰＡを利用できるユーザ数を適正に制限できるＲＮＣ（無線通信ネットワーク制御装置）およびその制御方法を提供すること。    【解決手段】  ＲＮＣ１の滞留データ記憶部１３１は、ネットワークのトラヒック情報を滞留データ量として記憶している。通信端末装置１０からＨＳＤＰＡへの切り替え要求がくると、ＨＳＤＰＡ切り替え判定部１５は、上位レイヤ装置１１からの加入者情報に基づき通信端末装置１０のユーザごとに予め決定された閾値と滞留データ記憶部１３１からの滞留データ量とを比較し、該当通信端末装置１０に対するＨＳＤＰＡへの切り替え可否を判定する。この判定結果に応じてチャネル制御部１４は、ＨＳＤＰＡサービスのための通信チャネルの制御を行う。  【選択図】      図１
2007028533.tif 000002
【特許請求の範囲】
【請求項１】
ＨＳＤＰＡ（ハイスピードダウンリンクパケットアクセス）通信を行う無線通信ネットワーク制御装置であって、
契約情報に基づき加入者ごとに定まる、加入者別ＨＳＤＰＡサービスへの切り替え閾値を決定するＨＳＤＰＡ切り替え閾値決定手段と、
ネットワークのトラヒック状況を示すトラヒック情報を順次記憶するトラヒック情報記憶手段と、
通信端末装置からの要求に応じ、前記トラヒック情報と前記切り替え閾値とを比較し、該当する通信端末装置へのＨＳＤＰＡサービスの許可・不許可を判定するＨＳＤＰＡ切り替え判定手段と、
を具備する無線通信ネットワーク制御装置。
【請求項２】
セル内のＨＳＤＰＡサービス可能なユーザ数を記憶するＨＳＤＰＡユーザ数受信手段を有し、
ＨＳＤＰＡサービスを要求しているユーザ数を順次記憶するＨＳＤＰＡサービス要求ユーザ数記憶手段と、
前記ＨＳＤＰＡ切り替え閾値決定手段は、前記加入者別ＨＳＤＰＡサービスへの切り替え閾値を、前記トラヒック情報に加えて、前記セル内のＨＳＤＰＡサービス可能なユーザ数に基づいて決定し、
前記ＨＳＤＰＡ切り替え判定手段は、前記トラヒック情報および前記ＨＳＤＰＡサービスを要求しているユーザ数と、前記切り替え閾値とを比較し、該当する通信端末装置へのＨＳＤＰＡサービスの許可・不許可を判定する、請求項１記載の無線通信ネットワーク制御装置。
【請求項３】
ＨＳＤＰＡ（ハイスピードダウンリンクパケットアクセス）通信を行う無線通信ネットワーク制御装置の制御方法であって、
契約情報に基づき加入者ごとに定まる、加入者別ＨＳＤＰＡサービスへの切り替え閾値を決定するＨＳＤＰＡ切り替え閾値決定ステップと、
ネットワークのトラヒック状況を示すトラヒック情報を順次記憶するトラヒック情報記憶ステップと、
通信端末装置からの要求に応じ、前記トラヒック情報と前記切り替え閾値とを比較し、該当する通信端末装置へのＨＳＤＰＡサービスの許可・不許可を判定するＨＳＤＰＡ切り替え判定ステップと、
を具備する無線通信ネットワーク制御装置の制御方法。
【発明の詳細な説明】
【技術分野】
【０００１】
本発明は通信端末装置とＨＳＤＰＡ(High Speed Downlink Packet Access／ハイスピードダウンリンクパケットアクセス)を利用して無線通信を行う無線通信ネットワーク制御装置およびその制御方法に関する。
【背景技術】
【０００２】
下りの高速パケット伝送方式であるＨＳＤＰＡは、複数のユーザが競合して使用する共通チャネルである。このＨＳＤＰＡは、通信端末装置のトラフィック量の増大や、通信端末装置の要求する通信品質が高品質になるのに伴い、ユーザに対する新しい通信サービスとして、需要が増大し始めている。
【０００３】
従来、ＨＳＤＰＡへの切り替えを制御するにあたっては、基地局装置でのコードの使用状況と送信電力を用いて、ＨＡＤＰＡへの切り替えを制御することが検討されている（特許文献１参照）。
【特許文献１】特開２００４−２４２２２７号公報
【発明の開示】
【発明が解決しようとする課題】
【０００４】
しかしながら、最近では、ユーザが通信端末装置でダウンロードするデータ量が著しく増加しており、ＨＳＤＰＡに切り替えて通信を行うユーザが増加すると考えられる。
【０００５】
一方、ＨＳＤＰＡを利用できるユーザの数はセル内では限られているので、すべてのユーザにＨＳＤＰＡの切り替えを行えるわけではないので、システム提供者はＨＳＤＰＡへ切り替えを行えるユーザを制限することが必要である。この場合、従来のように、基地局装置でのコードの使用状況と送信電力の使用状況による制御を行うのみでは、ＨＳＤＰＡを利用できるユーザ数は、通信システムのハード的なリソースにより一義的に定まる。従って、多くのユーザにＨＳＤＰＡを利用させるためには、システム規模を大きくする必要があり、高価なシステムとなる。
【０００６】
本発明はかかる点に鑑みてなされたもので、通信システムを高価で大規模にしなくても、セル内でＨＳＤＰＡを利用できるユーザ数を適正に制限できる無線通信ネットワーク制御装置およびその制御方法を提供することを目的とする。
【課題を解決するための手段】
【０００７】
かかる課題を解決するため、本発明の無線通信ネットワーク制御装置は、ＨＳＤＰＡ（ハイスピードダウンリンクパケットアクセス）通信を行う無線通信ネットワーク制御装置であって、契約情報に基づき加入者ごとに定まる、加入者別ＨＳＤＰＡサービスへの切り替え閾値を決定するＨＳＤＰＡ切り替え閾値決定手段と、ネットワークのトラヒック状況を示すトラヒック情報を順次記憶するトラヒック情報記憶手段と、通信端末装置からの要求に応じ、前記トラヒック情報と前記切り替え閾値とを比較し、該当する通信端末装置へのＨＳＤＰＡサービスの許可・不許可を判定するＨＳＤＰＡ切り替え判定手段と、を具備する構成を採る。
【０００８】
また、本発明の無線通信ネットワーク制御装置の制御方法は、ＨＳＤＰＡ（ハイスピードダウンリンクパケットアクセス）通信を行う無線通信ネットワーク制御装置の制御方法であって、契約情報に基づき加入者ごとに定まる、加入者別ＨＳＤＰＡサービスへの切り替え閾値を決定するＨＳＤＰＡ切り替え閾値決定ステップと、ネットワークのトラヒック状況を示すトラヒック情報を順次記憶するトラヒック情報記憶ステップと、通信端末装置からの要求に応じ、前記トラヒック情報と前記切り替え閾値とを比較し、該当する通信端末装置へのＨＳＤＰＡサービスの許可・不許可を判定するＨＳＤＰＡ切り替え判定ステップと、を具備する構成を採る。
【発明の効果】
【０００９】
本発明によれば、ＨＳＤＰＡの利用者が増加した場合に、ネットワークのトラヒック情報に基づいてＨＳＤＰＡサービスへの許可・不許可を判定することによりＨＳＤＰＡへの切り替えを適正に制限することができる。
【発明を実施するための最良の形態】
【００１０】
以下、本発明の実施の形態について図面を参照して詳細に説明する。
【００１１】
（実施の形態１）
図１は、本発明の実施の形態１に係る無線ネットワーク制御装置の構成を示すブロック図である。
【００１２】
図１おいて、無線通信システムは、ＲＮＣ（Radio Network Controller：無線ネットワーク制御装置）１と、ＲＮＣ１が接続されている上位レイヤ装置１１と、上位レイヤ装置１１からのサービスを通信端末装置１０に提供するため、ＲＮＣ１と連動する基地局装置１２とを中心に構成される。
【００１３】
ＲＮＣ１は、データ処理部１３と、チャネル制御部１４と、ＨＳＤＰＡ切り替え判定部１５と、ＨＳＤＰＡ切り替え閾値情報記憶部１６と、ＨＳＤＰＡ切り替え閾値決定部１７と、加入者情報受信部１８とから主に構成される。
【００１４】
データ処理部１３は、上位レイヤ装置１１が通信端末装置１０に対し入出力するデータを処理し、基地局装置１２を介して通信端末装置１０にデータ送信し、またデータ受信する。また、データ処理部１３は、データ送信のため滞留しているデータ量を記憶する滞留データ記憶部１３１を有する。滞留データ記憶部１３１に記憶された滞留データ量は、順次更新されネットワークのトラヒック状況を示すトラヒック情報となる。滞留データ記憶部１３１は、滞留データ量をＨＳＤＰＡ切り替え判定部１５に出力する。
【００１５】
チャネル制御部１４は、上位レイヤ装置１１からの指令を受けて、ＲＮＣ１と通信端末装置１０との間の通信チャネルを制御するとともに、基地局装置１２と連動して、通信端末装置１０からのＨＳＤＰＡ切り替え要求を検出しＨＳＤＰＡ切り替え判定部１５に出力する。また、チャネル制御部１４は、ＨＳＤＰＡ切り替え判定部１５の判定結果を受けて通信チャネルのチャネル制御を行う。ＨＳＤＰＡ切り替え要求記憶部１４１は、ＨＳＤＰＡ切り替え要求とその要求を送信した通信端末装置１０の番号を一時的に記憶する。
【００１６】
加入者情報受信部１８は、上位レイヤ装置１１から、通信を行っているユーザの契約条件を含む加入者情報を受信する。ＨＳＤＰＡ切り替え閾値決定部１７は、加入者情報受信部１８から加入者情報を受け、ネットワークのトラヒック状況を示すトラヒック情報として滞留データ記憶部１３１が記憶する滞留データ量に応じて定める、ＨＳＤＰＡへの切り替え閾値をユーザごとに決定する。
【００１７】
ＨＳＤＰＡ切り替え閾値の決定方法としては、システム提供者に対して有利な契約、例えば高額の利用契約をしているユーザに対しては、ＨＳＤＰＡへの切り替え閾値を下げる、システム提供者に対して有利でない契約、例えば標準的な金額での利用契約をしているユーザに対しては、ＨＳＤＰＡへの切り替え閾値を上げる、などが考えられる。この条件はシステム提供者によって定められる。
【００１８】
ＨＳＤＰＡ切り替え閾値情報記憶部１６は、ＨＳＤＰＡへの切り替え閾値を記憶するとともに、ＨＳＤＰＡ切り替え判定部１５に対し、記憶しているＨＳＤＰＡへの切り替え閾値を出力する。
【００１９】
ＨＳＤＰＡ切り替え判定部１５は、滞留データ記憶部１３１から得た滞留データの値と、ＨＳＤＰＡ切り替え閾値情報記憶部１６に保存されているＨＳＤＰＡ切り替え閾値とを比較し、ＨＳＤＰＡへの切り替え可否を判定する。
【００２０】
次に、本実施の形態１に係る無線ネットワーク制御装置の動作について説明する。
【００２１】
ＲＣＮ１はまず、加入者情報受信部１８を用いて上位レイヤ装置１１より通信を行っているユーザのシステム提供者に対しての契約条件を受信する。次にＲＣＮ１は、ＨＳＤＰＡ切り替え閾値決定部１７において、ユーザの契約条件によってのＨＳＤＰＡへの切り替え閾値を決定し、そのＨＳＤＰＡ切り替え閾値を、ＨＳＤＰＡ切り替え閾値情報記憶部１６に保存する。
【００２２】
この状態で、通信端末装置１０がＨＳＤＰＡへの切り替え要求を送信すると、チャネル制御部１４は、この要求を基地局装置１２を介して受信することによって検出し、ＨＳＤＰＡ切り替え要求記憶部１４１に一次記憶する。合わせて、チャネル制御部１４は、ＨＳＤＰＡ切り替え判定部１５へＨＳＤＰＡ切り替え要求あった旨を通知する。
【００２３】
この通知に伴いＨＳＤＰＡ切り替え判定部１５は、滞留データ記憶部１３１から得た滞留データの値と、ＨＳＤＰＡ切り替え閾値情報記憶部１６に保存されているＨＳＤＰＡ切り替え閾値とを比較し、ＨＳＤＰＡへの切り替え可否を判定する。
【００２４】
今回滞留データ記憶部１３１から得た滞留データの値が、ＨＳＤＰＡへの切り替え閾値を下回り、ＨＳＤＰＡ切り替えを許可する場合には、ＨＳＤＰＡ切り替え判定部１５は、チャネル制御部１４へ切り替え可能を通知する。チャネル制御部１４は、ＨＳＤＰＡ切り替え要求記憶部１４１に一時記憶していた情報に従い、該当の通信端末装置１０に対するサービスをＨＳＤＰＡサービスに切り替える。
【００２５】
逆に、滞留データ記憶部１３１から得た滞留データの値が、ＨＳＤＰＡ切り替え閾値情報記憶部１６が出力するＨＳＤＰＡへの切り替え閾値を上回り、ＨＳＤＰＡ切り替えを許可しない場合には、ＨＳＤＰＡ切り替え判定部１５は、チャネル制御部１４へ切り替え可能を通知しない。従ってこの場合は、チャネル制御部１４は、該当の通信端末装置１０に対するサービスをＨＳＤＰＡサービスに切り替える制御は行わず、該当通信端末装置１０に対しては、それ以前のサービス、例えば個別チャネルによるサービスが継続される。
【００２６】
このように実施の形態１に係る無線ネットワーク制御装置にあっては、ＨＳＤＰＡ利用条件は、通信端末装置を利用するユーザ自身が、システム提供者に対する直接的なサービス要求である契約条件を定めることにより選択可能となるので、ユーザの利便性が向上する。
【００２７】
（実施の形態２）
次に、本発明に係る実施の形態２について、図２に基づいて説明する。図２は、本実施の形態２に係る無線ネットワーク制御装置の構成を示すブロック図である。図２おいて、図１と同一部分については、同一符号を付して、詳しい説明は省略する。
【００２８】
実施の形態２は、ＨＳＤＰＡ切り替え閾値決定部１７が、図１における加入者情報受信部１８に加えて、ＨＳＤＰＡ使用可能ユーザ数受信部１９からのＨＳＤＰＡ切り替え関連情報を受けてＨＳＤＰＡ切り替え閾値を決定する点に特徴がある。
【００２９】
ＨＳＤＰＡ使用可能ユーザ数受信部１９は、上位レイヤ装置１１より、セル内のＨＳＤＰＡ使用可能ユーザ数を受信し、ＨＳＤＰＡ切り替え閾値決定部１７に出力する。ＨＳＤＰＡ切り替え閾値決定部１７は、ＨＳＤＰＡ使用可能ユーザ数受信部１９からのＨＳＤＰＡ使用可能ユーザ数および、加入者情報受信部１８からのによってのＨＳＤＰＡへの切り替え閾値を決定し、そのＨＳＤＰＡ切り替え閾値を、ＨＳＤＰＡ切り替え閾値情報記憶部１６に記憶する。
【００３０】
ＨＳＤＰＡ使用可能ユーザ数に関連して、ＨＳＤＰＡ切り替え閾値決定部１７が行うＨＳＤＰＡ切り替え閾値決定のアルゴリズムとしては、例えば、セル内である決められた第１のユーザ数を越えた場合、ＨＳＤＰＡへの切り替え閾値を上げ、また、セル内である決められた上記とは別の第２のユーザ数を下回った場合、ＨＳＤＰＡへの切り替え閾値を下げるという条件を、実施の形態１の場合に加重するものとしてもよい。
【００３１】
具体的には、ＲＮＣ１は、例えば、第１条件として、セル内である決められたユーザ数を超えた場合で、システム提供者に対して有利な契約をしているユーザに対しては、ＨＳＤＰＡへの切り替え閾値を変えない、第２条件として、セル内である決められたユーザ数を超えた場合で、システム提供者に対して有利でない契約をしているユーザに対しては、ＨＳＤＰＡへの切り替え閾値を上げる、第３条件として、セル内である決められたユーザ数を下回った場合で、システム提供者に対して有利な契約をしているユーザに対しては、ＨＳＤＰＡへの切り替え閾値を下げる、第４条件として、セル内である決められたユーザ数を下回った場合で、システム提供者に対して有利でない契約をしているユーザに対しては、ＨＳＤＰＡへの切り替え閾値を変えない、という閾値切り替えのアルゴリズムを、選定する。従って、ＨＳＤＰＡ切り替え閾値決定部１７は、このアルゴリズムに従って決定した切り替え閾値を、ＨＳＤＰＡ切り替え閾値情報記憶部１６に保存する。
【００３２】
このような条件下で、通信端末装置１０のユーザがＨＳＤＰＡへの切り替えを要求すると、この要求に応じて、基地局装置１２は、切り替え要求をしているユーザ情報を含めて、チャネル制御部１４に出力する。これに応じて、チャネル制御部１４は、ユーザ情報をＨＳＤＰＡ切り替え要求記憶部１４１に一次記憶するとともに、ＨＳＤＰＡへ切り替え要求をＨＳＤＰＡ切り替え判定部１５に出力する。この出力を受けて、ＨＳＤＰＡ切り替え判定部１５は、新たなＨＳＤＰＡ使用ユーザ数を算出し、ＨＳＤＰＡ使用ユーザ数記憶部１５１に記憶する。
【００３３】
次に、ＨＳＤＰＡ切り替え判定部１５は、滞留データ記憶部１３１から得たトラヒック情報に加えてＨＳＤＰＡ使用ユーザ数記憶部１５１からＨＳＤＰＡ使用ユーザ数を得て、ＨＳＤＰＡ切り替え閾値情報記憶部１６に保存されている閾値を用いてＨＳＤＰＡへの切り替え可否を判定する。ＨＳＤＰＡ切り替えを許可した場合、ＨＳＤＰＡ切り替え判定部１５はチャネル制御部１４へ切り替え可能を通知し、チャネル制御部１４は、該当ユーザに関しＨＳＤＰＡへの切り替え制御を行う。
【００３４】
この結果、実施の形態２では、ユーザの契約情報およびＨＳＤＰＡ使用可能ユーザ数を反映した上で、ＨＳＤＰＡへの切り替えを制御することができる。上の説明では、セル内のＨＳＤＰＡ利用可能ユーザ数に関する閾値条件を単一のものとして説明したが、これは説明の理解を容易にするためであり、これは２個、３個あるいはそれ以上の複数の閾値を契約条件に応じて設定することも可能である。このようにセル内ユーザ数による切り替え閾値を多段階とすれば、各ユーザは、この各閾値で定まる、いわばユーザグループのいずれに属するかを契約条件により選択ができ、選択した契約条件に応じたきめの細かいサービスを受けることが可能となり、ユーザの利便性は向上する。また、このような効果を実現するため、通信システムの設備コストは高額とはならず、短期間での実現が可能であるので、ＨＳＤＰＡ利用希望ユーザが急激に増加する場合には、特に有効である。
【産業上の利用可能性】
【００３５】
本発明は、ＨＳＤＰＡ機能を活用する無線通信システムを安価、短期間に構築する際に有用である。
【図面の簡単な説明】
【００３６】
【図１】本発明の実施の形態１に係る無線ネットワーク制御装置の構成を示すブロック図
【図２】本発明の実施の形態２に係る無線ネットワーク制御装置の構成を示すブロック図
【符号の説明】
【００３７】
１  ＲＮＣ（Radio Network Controller：無線ネットワーク制御装置）
１０  通信端末装置
１１  上位レイヤ装置
１２  基地局装置
１３  データ処理部
１４  チャネル制御部
１５  ＨＳＤＰＡ切り替え判定部
１６  ＨＳＤＰＡ切り替え閾値情報記憶部
１７  ＨＳＤＰＡ切り替え閾値決定部
１８  加入者情報受信部
１９  ＨＳＤＰＡ使用可能ユーザ数受信部
【図１】
2007028533.tif 000003
【図２】
2007028533.tif 000004